(57)【特許請求の範囲】
【請求項１】
遊技球が流下する遊技領域を有する遊技盤と、
前記遊技盤前面側から盤面に対して少なくとも一部が挿入部として挿入される第一の挿入部材と、
取付孔を有する複数の取付部が形成されて前記遊技盤裏面側に取り付けられる取付部材と、
前記遊技盤裏面側から前記取付部材の前記取付孔を介して前記盤面に対して少なくとも一部が挿入部として挿入されて前記取付部材を取り付ける第二の挿入部材とを備えた弾球遊技機において、
前記盤面の略垂直方向に対する前記第一の挿入部材の挿入部の長さ（Ｌ１）と前記第二の挿入部材の挿入部の長さ（Ｌ２）の和が前記遊技盤の盤面厚み（ｔ）よりも大きく設定されており、前記複数の取付部の少なくとも一つには前記盤面の面方向に対して位置の異なる複数の取付孔が形成されていて、前記第二の挿入部材を挿入する際に前記複数の取付孔のいずれかが選択可能に構成され、前記第二の挿入部材の挿入部と前記第一の挿入部材の挿入部が前記盤面に挿入された状態で互いに干渉しない位置に各挿入部を配設可能に構成し、前記取付部は、前記複数の取付孔の位置を識別する識別手段を備えることを特徴とする弾球遊技機。
【請求項２】
前記取付部材が前記第二の挿入部材により前記遊技盤裏面側に取り付けられた状態において、前記複数の取付部の少なくとも一つの前記複数の取付孔には、前記第二の挿入部材を挿入していない未使用取付孔が少なくとも一つ存在することを特徴とする請求項１に記載の弾球遊技機。
【請求項３】
前記取付部材は、前記遊技盤前面側の盤面に配置された入賞領域からの入賞球あるいは排出領域からの排出球を前記遊技盤裏面側で集合させる集合板であることを特徴とする請求項１または２に記載の弾球遊技機。
【請求項４】
前記遊技盤に配置される表示装置は、該遊技盤前面側で予め定められた複数の図柄を表示する表示部を有する図柄表示装置と前記表示部を取り囲む表示枠体を含み、前記図柄表示装置が前記取付部材であることを特徴とする請求項１ないし３のいずれか１項に記載の弾球遊技機。
【請求項５】
前記第一の挿入部材は、前記遊技盤前面側の盤面の所定位置に配置されて前記遊技領域を流下する遊技球を所定方向へ誘導する遊技釘であることを特徴とする請求項１ないし４のいずれか１項に記載の弾球遊技機。
【請求項６】
前記第一の挿入部材は、当接する遊技球の自重によって回転する風車を前記盤面に取り付ける取付釘であることを特徴とする請求項５に記載の弾球遊技機。
【発明の詳細な説明】
【０００１】
【発明の属する技術分野】
この発明は、パチンコ遊技機等の弾球遊技機に関する。
【０００２】
【従来の技術】
従来のパチンコ遊技機等の弾球遊技機は、遊技球が流下する遊技領域を有する遊技盤と、前記遊技領域に配置された遊技球の入賞領域および排出領域と、前記入賞領域からの入賞球あるいは排出領域からの排出球を前記遊技盤裏面側で集合させる集合板と、予め定められた複数の図柄を表示する図柄表示装置等を備えている。
【０００３】
上記の弾球遊技機においては、例えば、前記図柄表示装置をネジ等によって前記集合板に固定するものがある。このような弾球遊技機の遊技盤の構成等を変更する場合には、それに合わせて前記図柄表示装置の固定位置を変更することがある。その際には、前記固定位置を変更するため、複数のネジ孔を前記図柄表示装置あるいは前記集合板に設ける等している。そして、前記複数のネジ孔から適宜のネジ孔を選択することによって、前記図柄表示装置等の前記遊技盤に対する固定位置を変更することができる（例えば、特許文献１参照。）。
【０００４】
前記集合板は、前記入賞領域からの入賞球あるいは排出領域からの排出球を集合させるような前記遊技盤裏面側の適宜な位置にネジ等の第二の挿入部材によって固定する必要がある。また、他の弾球遊技機においては、前記図柄表示装置と前記集合板を別個に前記遊技盤裏面側に取り付けているものがあり、該図柄表示装置等を前記遊技盤裏面側の適宜の位置に前記第二の挿入部材によって固定するものがある。この弾球遊技機においては、前記集合板や図柄表示装置等の固定位置が決定された後に、前記遊技領域における遊技釘等の第一の挿入部材の挿入位置が決定されるのが一般的である。
【０００５】
しかしながら、前記弾球遊技機の設計段階において、前記第一の挿入部材の挿入位置が決定された後においても、該第一の挿入部材の挿入位置を変更しなければならないことがある。第一の挿入部材の挿入位置を変更した際に、前記第一の挿入部材と第二の挿入部材が、前記遊技盤の盤面に挿入された状態で互いに干渉する場合があり、前記集合板等の固定位置を変更する必要がある。前記集合板等の固定位置は前記入賞口等の位置に対応させて決定されており、該集合板等は前記第二の挿入部材を挿入する単一のネジ孔のみが設けられている。そこで、前記干渉を避けるため前記集合板等の固定位置を変更する場合には、前記集合板等の設計を変更する必要があった。
【０００６】
【特許文献１】
特開２００２−４５５３３号公報  （第１−９頁、第１−２３図）
【０００７】
【発明が解決しようとする課題】
この発明は、このような状況に鑑み提案されたものであって、第一の挿入部材と第二の挿入部材が干渉した場合あるいは干渉する可能性が高い場合であっても、集合板等の取付部材の設計を変更する手間を無くすあるいは極力軽減することができる弾球遊技機を提供する。
【０００８】
【課題を解決するための手段】
すなわち、請求項１の発明は、遊技球が流下する遊技領域を有する遊技盤と、前記遊技盤前面側から盤面に対して少なくとも一部が挿入部として挿入される第一の挿入部材と、取付孔を有する複数の取付部が形成されて前記遊技盤裏面側に取り付けられる取付部材と、前記遊技盤裏面側から前記取付部材の前記取付孔を介して前記盤面に対して少なくとも一部が挿入部として挿入されて前記取付部材を取り付ける第二の挿入部材とを備えた弾球遊技機において、前記盤面の略垂直方向に対する前記第一の挿入部材の挿入部の長さ（Ｌ１）と前記第二の挿入部材の挿入部の長さ（Ｌ２）の和が前記遊技盤の盤面厚み（ｔ）よりも大きく設定されており、前記複数の取付部の少なくとも一つには前記盤面の面方向に対して位置の異なる複数の取付孔が形成されていて、前記第二の挿入部材を挿入する際に前記複数の取付孔のいずれかが選択可能に構成され、前記第二の挿入部材の挿入部と前記第一の挿入部材の挿入部が前記盤面に挿入された状態で互いに干渉しない位置に各挿入部を配設可能に構成し、前記取付部は、前記複数の取付孔の位置を識別する識別手段を備えることを特徴とする弾球遊技機に係る。
【０００９】
請求項２の発明は、請求項１において、前記取付部材が前記第二の挿入部材により前記遊技盤裏面側に取り付けられた状態において、前記複数の取付部の少なくとも一つの前記複数の取付孔には、前記第二の挿入部材を挿入していない未使用取付孔が少なくとも一つ存在することを特徴とする弾球遊技機に係る。
【００１０】
請求項３の発明は、請求項１または２において、前記取付部材は、前記遊技盤前面側の盤面に配置された入賞領域からの入賞球あるいは排出領域からの排出球を前記遊技盤裏面側で集合させる集合板であることを特徴とする弾球遊技機に係る。
【００１１】
請求項４の発明は、請求項１ないし３のいずれか１項において、前記遊技盤に配置される表示装置は、該遊技盤前面側で予め定められた複数の図柄を表示する表示部を有する図柄表示装置と前記表示部を取り囲む表示枠体を含み、前記図柄表示装置が前記取付部材であることを特徴とする弾球遊技機に係る。
【００１２】
請求項５の発明は、請求項１ないし４のいずれか１項において、前記第一の挿入部材は、前記遊技盤前面側の盤面の所定位置に配置されて前記遊技領域を流下する遊技球を所定方向へ誘導する遊技釘であることを特徴とする弾球遊技機に係る。
【００１３】
請求項６の発明は、請求項５において、前記第一の挿入部材は、当接する遊技球の自重によって回転する風車を前記盤面に取り付ける取付釘であることを特徴とする弾球遊技機に係る。
【００１４】
【発明の実施の形態】
以下添付の図面に従ってこの発明を詳細に説明する。
図１はこの発明の一実施例に係る弾球遊技機全体の正面図、図２は同遊技機の遊技盤の正面図、図３は第一の挿入部材と第二の挿入部材が盤面に対して挿入された状態を示す図、図４は他の実施例に係る第一の挿入部材と第二の挿入部材が盤面に対して挿入された状態を示す図、図５は同遊技機の遊技盤裏面側における取付部材の取り付け状態を示す分解斜視図、図６は同遊技盤全体の裏面図、図７は図６のＤ部分における遊技釘の挿入位置を変更する前の拡大図、図８は同Ｄ部分における遊技釘の挿入位置を変更した後の拡大図である。
【００１５】
図１および図２に示す弾球遊技機１は、枠体２の内側に遊技盤３が着脱交換可能に収容されており、その遊技盤３に遊技球の外側誘導レール４および内側誘導レール５が略円形に立設され、前記外側誘導レール４と内側誘導レール５によって囲まれた遊技領域６が設けられている。前記枠体２には、遊技球払出口（図示せず）より払い出された遊技球を受ける遊技球供給皿（上側球受け皿とも称される）３６、前記遊技球供給皿３６の飽和時に遊技球を受けるための下側球受け皿３７、遊技状態を報知するランプ表示器３４，３５および音声や効果音を発して遊技状態を遊技者に報知するスピーカ８、遊技者による発射レバー９２の操作に応じて遊技球を遊技盤３の遊技領域６に向けて発射する発射装置（図示せず）等がそれぞれ組み付けられている。また、前記遊技球供給皿３６の右側上面には、この遊技球供給皿３６の遊技球を球抜きして前記下側球受け皿３７へ移すための球返却ボタン３３が設けられている。
【００１６】
図２に示すように、この実施例の遊技盤３は、遊技球が流下する遊技領域６を有している。前記遊技盤３における遊技領域６が設けられた盤面６Ａには、その中心線上に上部から下部に向かって順に液晶表示器（ＴＦＴ−ＬＣＤモジュール）等からなる表示部５０を有する図柄表示装置５５と前記表示部５０を取り囲む表示枠体５６を含む表示装置９、普通電動役物である始動入賞口１１、特別電動役物である大入賞口１５、アウト口（排出領域）１７が配設され、また前記表示装置９の両側にはランプ風車１８ａ，１８ｂ、その下方に普通図柄変動開始用左ゲート１９および普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。前記種々の入賞口（入賞領域）に遊技球が入賞すると、所定数の遊技球が賞品球として払出装置により遊技球払出口から前記遊技球供給皿３６へ払い出される。また、この実施例では、前記盤面６Ａの所定位置に配置されて前記遊技領域６を流下する遊技球を所定方向に誘導する遊技釘７が適宜設けられている。なお、図中の符号６０は、前記始動入賞口１１等の入賞領域に形成されるとともに前記盤面６Ａに取り付け可能な入賞領域固定部である。
【００１７】
また、前記始動入賞口１１には、該始動入賞口１１に入賞した遊技球を検出する特別図柄変動開始スイッチ（始動入賞口センサ）が設けられている。そして、前記特別図柄変動開始スイッチによって入賞球が検出されると、前記表示装置９における表示部５０の各表示領域で特別図柄が変動を開始し、所定時間変動表示後、予め定められた順で特別図柄が変動停止して、停止図柄の組合せが確定表示されるようになっている。そして、前記確定表示された停止図柄の組合せが予め決められた特定の大当たり図柄組合せ、例えば、同一図柄の組合せからなる通称ぞろ目であると、大当たり状態（特別遊技状態）に移行する。大当たり状態になると、前記大入賞口１５の開閉板が開いて遊技領域６を流下してくる遊技球を受け止め、大入賞口１５内へ入賞可能にする。
【００１８】
前記特別図柄変動開始スイッチの他に、前記普通図柄変動開始用左ゲート１９および普通図柄変動開始用右ゲート２１を通過する遊技球を検出する普通図柄変動開始スイッチ等がある。この普通図柄変動開始スイッチで両ゲート１９，２１を通過する遊技球を検出することによって、前記表示部５０の上方左隅に設けた普通図柄表示部５０Ａでの図柄変動を開始させるようになっている。そして、前記普通図柄表示部５０Ａにおいて図柄変動した後に確定表示された図柄が予め設定されている特定の図柄であった場合には、小当たり（普通図柄当たり）となり、前記始動入賞口１１の可動片１１ａ，１１ｂの拡開開放を所定時間行うようになっている。
【００１９】
この実施例の弾球遊技機は、前述した遊技盤３の他、第一の挿入部材７０と、第二の挿入部材７５と、取付部材８０とを備えている。
【００２０】
第一の挿入部材７０は、図３に示すように、前記遊技盤３の前面側Ｆから盤面６Ａに対して少なくとも一部が挿入部７１として略垂直方向に挿入されるものである。図３では、前記第一の挿入部材７０が、前記盤面６Ａの所定位置に配置されて前記遊技領域６を流下する遊技球を所定方向へ誘導する遊技釘７である。
【００２１】
図４は他の実施例を示すものであり、（ａ）図に示す第一の挿入部材７０は、当接する遊技球の自重によって回転する風車２２ｂを前記盤面６Ａに取り付ける取付釘１０である。一方、（ｂ）図に示す第一の挿入部材７０は、遊技に関する遊技装置９５と一体に形成された遊技装置固定部９６を前記盤面６Ａに取り付ける固定部材１０Ａである。ここでは、前記遊技装置９５は前記ランプ風車１８ｂである。また、前記固定部材１０Ａはネジ部材である。（ｂ）図中の符号ＬはＬＥＤランプ、Ｈは前記ＬＥＤランプ等の発光装置を挿入する貫通孔である。なお、図４の実施例のうち、図３に示す実施例と同一部材は同一符号を付している。
【００２２】
取付部材８０は、図３ないし図８に示すように、前記盤面６Ｂの面方向であり該盤面６Ｂと平行に位置の異なる複数の取付孔８１を有する複数の取付部８５が形成されて前記遊技盤３の裏面側Ｂに取り付けられるものである。
【００２３】
第二の挿入部材７５は、図３ないし図８に示すように、前記遊技盤３の裏面側Ｂから前記取付部材８０における取付部８５の前記取付孔８１を介して前記盤面６Ｂに対して少なくとも一部が挿入部７６として略垂直方向に挿入されて前記取付部材８０を取り付けるものである。ここでは、前記第二の挿入部材７５はネジ部材である。なお、前記第一の挿入部材７０および前記第二の挿入部材７５をそれぞれ前記遊技盤３の前面側Ｆおよび裏面側Ｂに挿入する方向である略垂直方向とは、該遊技盤３の盤面６Ａ，６Ｂに対して垂直方向および垂直方向に対して斜め方向を意味する。
【００２４】
図３および図４に示すように、前記遊技盤３の略垂直方向に対する前記盤面６Ａから挿入された前記第一の挿入部材７０の先端部までの距離である第一の挿入部材７０の挿入部７１の長さＬ１と前記遊技盤３の略垂直方向に対する前記盤面６Ｂから挿入された前記第二の挿入部材７５の先端部までの距離である前記第二の挿入部材７５の挿入部７６の長さＬ２の和が、前記盤面６Ａから前記盤面６Ｂまでの遊技盤に対して略垂直方向に対する距離である前記遊技盤３の盤面厚みｔよりも大きく設定されている。
【００２５】
図５ないし図８（特に図７および図８）から理解できるように、前記複数の取付部８５の少なくとも一つには前記盤面６Ｂの面方向に対して位置の異なる複数の取付孔８１が形成されている。前記複数の取付孔８１は、これに前記第二の挿入部材７５を挿入する際に、いずれかが選択可能に構成されている。
【００２６】
この取付部８５は、図示のように、前記裏面側Ｂと略平行となるように前記取付部材８０と一体に成形された板部である。この取付部８５は、前記盤面６Ｂの面方向に対して取付部材８０の最前面側に形成されている。ここでは、図５に示すように、前記図柄表示装置５５の取付部８５は、装置本体５５Ａから前記裏面側Ｂに対して突出して形成される。一方、図示のように、集合板５７の取付部８５は、集合板本体５７Ａから前記裏面側Ｂに対して突出しないように形成される。この集合板５７は、前記入賞領域（大入賞口１５等）からの入賞球あるいは排出領域（アウト口１７）からの排出球を前記遊技盤３の裏面側Ｂで集合させるものである。なお、集合した入賞球等は、この弾球遊技機１が設置された遊技島の遊技球回収設備等に向けて排出される。
【００２７】
この取付部８５は、前記複数の取付孔８１の位置を識別する識別手段９０を備えている。この実施例では、図７および図８から理解できるように、前記識別手段９０が、前記取付部８５に付された記号である。ここでは、前記記号がＪないしＬあるいはＫないしＮのアルファべットである。
【００２８】
複数の取付部８５の少なくとも一つは、前記第二の挿入部材７５を挿入していない未使用取付孔８１Ａを少なくとも一つ有する。図７は、第二の挿入部材７５を、前記アルファベットＬ（前記集合板５７の前記取付部８５に付されたもの）とＮ（前記図柄表示装置５５の前記取付部８５に付されたもの）が付された取付孔８１に挿入した例を示し、図８は、前記第二の挿入部材７５を、前記アルファベットＫ（前記集合板５７の前記取付部８５に付されたもの）とＮ（前記図柄表示装置５５の前記取付部８５に付されたもの）が付された取付孔８１に挿入した例を示す。ここでは、前記図柄表示装置５５の取付部８５と前記集合板５７の取付部８５が、それぞれ３つと２つの未使用取付孔８１Ａを有する。
【００２９】
以下に、前記第一の挿入部材７０、第二の挿入部材７５、取付部材８０等を前記遊技盤３に取り付ける手順を説明する。前述したように、大入賞口１５等の入賞領域とアウト口１７が、前記遊技盤３の前面側の盤面６Ａに配置される。この遊技盤３は、図５に示すように、前記大入賞口１５等やアウト口１７を配置する位置に合わせて貫通孔Ｈが設けられている。集合板５７の前記裏面側Ｂへの取付位置が、この貫通孔Ｈの位置に合わせて決定される。ここでは、この集合板５７が前記取付部材８０に相当する。
【００３０】
さらに、この遊技盤３は、前記図柄表示装置５５を配置する位置に合わせて貫通孔Ｈ１が設けられている。この図柄表示装置５５の前記裏面側Ｂへの取付位置が、この貫通孔Ｈ１の位置に合わせて決定される。この図柄表示装置５５は前記取付部材８０に相当する。
【００３１】
前記集合板５５と図柄表示装置５７の取付位置が決定された後、前記遊技釘７（第一の挿入部材７０）の盤面６Ａに対する挿入位置が決定される。
【００３２】
図７に示すように、前記集合板５７と図柄表示装置５５は、決定された位置に前記取付孔８１を介して前記盤面６Ｂに対して挿入されるネジ部材７５（第二の挿入部材）によって前記裏面側Ｂに固定される。前記遊技釘７は、破線で図示するように、決定された前記盤面６Ａの挿入位置に挿入される。
【００３３】
弾球遊技機の設計段階において、すでに前記遊技釘７の挿入位置が決定された後に前記遊技釘７の挿入位置を変更しなければならない場合がある。例えば、前記遊技領域６を流下する遊技球が前記遊技釘７同士の間に挟まって停止するため、該遊技釘７の挿入位置を変更しなければならない場合等である。
【００３４】
前記遊技釘７の配置を変更すると、図８に示すように、遊技釘７が、アルファベットＬが付された前記集合板５７の取付孔８１に挿入されたネジ部材７５と干渉する。前記集合板５７は、前述したように、前記入賞領域（大入賞口１５等）からの入賞球あるいは排出領域（アウト口１７）からの排出球を集合させる位置に固定されており、この固定位置を大幅に変更することは困難である。
【００３５】
この実施例によれば、破線で図示したように遊技釘７がアルファベットＬが付された前記集合板５７の取付孔８１に挿入されたネジ部材７５と干渉する場合に、アルファベットＫが付された取付孔８１を選択し、前記アルファベットＬが付された取付孔８１に挿入されたネジ部材７５をアルファベットＫが付された取付孔８１に挿入し直す。これによって、図３の（ａ）図あるいは（ｂ）図に示すように、前記ネジ部材７５（第二の挿入部材）の挿入部７６と前記遊技釘７（第一の挿入部材７０）の挿入部７１を、各挿入部７１，７６が前記盤面６Ａ，６Ｂに挿入された状態で互いに干渉しない位置に配設可能としている。よって、前記集合板５７（取付部材８０）を移動させることなく前記遊技釘７（第一の挿入部材７０）とネジ部材７５（第二の挿入部材）の干渉を回避して、前記集合板５７（取付部材８０）を前記遊技盤３の裏面側Ｂに取り付けることができる。なお、前記取付部８５に未使用取付孔８１Ａが存在するが、複数の取付部８５の取付孔８１に少なくとも一つの前記第二の挿入部材７５が挿入されているため、前記集合板５７（取付部材８０）を前記遊技盤３の裏面側Ｂに固定することができる。
【００３６】
上記の集合板５７は、他の弾球遊技機にも用いることができる。例えば、この集合板５７は、前記入賞領域等の配置が同様な弾球遊技機にも上述した方法によって遊技釘とネジ部材の干渉を回避することができる。
【００３７】
一方、前記図柄表示装置５５の取付孔８１に挿入されたネジ部材７５が遊技釘７と干渉する場合にも、該図柄表示装置５５は前記貫通孔Ｈ１の位置に合わせて配置されており、この図柄表示装置５５の位置を大幅に変更することが困難である。この場合には、上記と同様にして前記取付孔８１へのネジ部材７５の挿入位置を変更することにより、図柄表示装置５５を移動させることなく前記遊技釘７とネジ部材７５の干渉を回避することができる。
【００３８】
なお、実施例は、前記アルファベットＪないしＬあるいはＫないしＮからなる識別手段９０が、前記ネジ部材７５（第二の挿入部材）の挿入部７６が前記遊技釘７（第一の挿入部材７０）の挿入部７１と干渉しないように選択された取付孔８１を容易に識別することができるものである。また、前記識別手段９０は、弾球遊技機の製造や修理においては、前記ネジ部材７５をいずれの取付孔８１に挿入するかを指示するために有効なものである。
【００３９】
本発明は、上述した実施例に限定されるものではなく、発明の趣旨を逸脱しない範囲において構成の一部を適宜に変更して実施することができる。上記実施例では、識別手段９０が、前記取付部８５に付された記号であるがこれに限定されない。例えば、この識別手段９０を、前記取付部８５に付された数字や色等の適宜なものとしてもよい。
【００４０】
また、上記実施例では、遊技に関する遊技装置が、前記ランプ風車１８ｂであるがこれに限定されない。例えば、この遊技装置を、前記始動入賞口１１，大入賞口１５等の種々の入賞口（入賞領域）や普通図柄変動開始用左ゲート１９等の通過ゲートとしてもよい。そして、前記始動入賞口１１等や前記普通図柄変動開始用左ゲート１９等に形成されて前記遊技盤３の前面側Ｆに取り付けることが可能な前記入賞領域固定部６０等を、前記第一の挿入部材７０によって前記盤面６Ａに固定する。
【００４１】
【発明の効果】
以上図示し説明したように、請求項１の発明に係る弾球遊技機においては、遊技盤の盤面の略垂直方向に対する第一の挿入部材の挿入部の長さ（Ｌ１）と第二の挿入部材の挿入部の長さ（Ｌ２）の和が前記遊技盤の盤面厚み（ｔ）よりも大きく設定されており、取付部材に形成された複数の取付部の少なくとも一つには前記盤面の面方向に対して位置の異なる複数の取付孔が形成されていて、前記第二の挿入部材を挿入する際に前記複数の取付孔のいずれかが選択可能に構成され、前記第二の挿入部材の挿入部と前記第一の挿入部材の挿入部が前記盤面に挿入された状態で互いに干渉しない位置に各挿入部を配設可能に構成している。これによって、第一の挿入部材と第二の挿入部材が干渉した場合あるいは干渉する可能性が高い場合であっても、集合板等の取付部材の設計を変更する手間を無くすあるいは極力軽減することができる。
【００４２】
また、前記取付部が、前記複数の取付孔の位置を識別する識別手段を備えている。これによって、前記第二の挿入部材の挿入部が前記第一の挿入部材の挿入部と干渉しないように選択された取付孔を容易に識別することができる。
【００４３】
請求項２の発明においては、前記取付部材が前記第二の挿入部材により前記遊技盤裏面側に取り付けられた状態において、前記複数の取付部の少なくとも一つの前記複数の取付孔には、前記第二の挿入部材を挿入していない未使用取付孔が少なくとも一つ存在する。これによって、前記取付部材を大幅に移動させることなく、前記第一の挿入部材と第二の挿入部材の挿入部が干渉した場合に前記未使用取付孔が存在しても、該取付部材を前記複数の取付孔の少なくとも一つを使用して前記盤面に取り付けることができる。
【００４４】
請求項３の発明においては、前記取付部材が、前記遊技盤前面側の盤面に配置された入賞領域からの入賞球あるいは排出領域からの排出球を前記遊技盤裏面側で集合させる集合板である。これによって、配置位置の変更が困難な集合板を移動させることなく、前記第一の挿入部材と前記第二の挿入部材の干渉を回避して該集合板を前記盤面に取り付けることができる。
【００４５】
請求項４の発明においては、前記遊技盤に配置される表示装置が、該遊技盤前面側で予め定められた複数の図柄を表示する表示部を有する図柄表示装置と前記表示部を取り囲む表示枠体を含み、前記図柄表示装置が前記取付部材である。これによって、配置位置の変更が困難な図柄表示装置を移動させることなく、前記第一の挿入部材と前記第二の挿入部材の干渉を回避して該図柄表示装置を前記盤面に取り付けることができる。
【００４６】
請求項５の発明においては、前記第一の挿入部材が、前記遊技盤前面側の盤面の所定位置に配置されて前記遊技領域を流下する遊技球を所定方向へ誘導する遊技釘である。これによって、遊技釘の前記盤面に対する挿入位置が変更された場合であっても、前記取付部材を移動させることなく前記遊技釘と前記第二の挿入部材の干渉を回避して該取付部材を前記盤面に取り付けることができる。
【００４７】
請求項６の発明においては、前記第一の挿入部材が、当接する遊技球の自重によって回転する風車を前記盤面に取り付ける取付釘である。これによって、取付釘の前記盤面に対する挿入位置が変更された場合であっても、前記取付部材を移動させることなく前記取付釘と前記第二の挿入部材の干渉を回避して該取付部材を前記盤面に取り付けることができる。
【図面の簡単な説明】
【図１】  この発明の一実施例に係る弾球遊技機全体の正面図である。
【図２】  同遊技機の遊技盤の正面図である。
【図３】  第一の挿入部材と第二の挿入部材が盤面に対して挿入された状態を示す図である。
【図４】  他の実施例に係る第一の挿入部材と第二の挿入部材が盤面に対して挿入された状態を示す図である。
【図５】  同遊技機の遊技盤裏面側における取付部材の取り付け状態を示す分解斜視図である。
【図６】  同遊技盤全体の裏面図である。
【図７】  図６のＤ部分における遊技釘の挿入位置を変更する前の拡大図である。
【図８】  同Ｄ部分における遊技釘の挿入位置を変更した後の拡大図である。
【符号の説明】
１  弾球遊技機
３  遊技盤
６  遊技領域
６Ａ  遊技盤前面側の盤面
６Ｂ  遊技盤裏面側の盤面
７  遊技釘
９  表示装置
１０  取付釘
１０Ａ  固定部材
１１  始動入賞口
１５  大入賞口
１７  アウト口
１８ａ，１８ｂ  ランプ風車
１９  普通図柄変動開始用左ゲート
２１  普通図柄変動開始用右ゲート
２２ａ，２２ｂ  風車
２３  左袖入賞口
２５  右袖入賞口
２７  左落とし入賞口
２９  右落とし入賞口
５０  表示部
５５  図柄表示装置
５６  表示枠体
５７  集合板
７０  第一の挿入部材
７１  第一の挿入部材の挿入部
７５  第二の挿入部材
７６  第二の挿入部材の挿入部
８０  取付部材
８１  取付孔
８１Ａ  未使用取付孔
８５  取付部
９０  識別手段
９５  遊技装置
９６  遊技装置固定部
【図１】
0003706373.tif 000002
【図２】
0003706373.tif 000003
【図３】
0003706373.tif 000004
【図４】
0003706373.tif 000005
【図５】
0003706373.tif 000006
【図６】
0003706373.tif 000007
【図７】
0003706373.tif 000008
【図８】
0003706373.tif 000009